【誤訳訂正書】
【提出日】平成23年11月15日(2011.11.15)
【誤訳訂正１】
【訂正対象書類名】明細書
【訂正対象項目名】全文
【訂正方法】変更
【訂正の内容】
【発明の詳細な説明】
【発明の名称】画像情報管理システムにおけるユーザーの分類及びレベル付け管理システム
【技術分野】
【０００１】
本発明は、画像情報管理システムにおけるユーザーの分類及びレベル付け管理システムに関する。
【背景技術】
【０００２】
従来のリアルタイム監視情報管理システムは、総合コンソールと幾つかのカメラにより構成され、比較的に小規模であり、各ユーザーと単独のリソースとの直接対応によりユーザーのリソース利用と制御を果たし、比較的に安定な対応関係を持つ独立のシステムである。
社会の発展と伴い、人の流動量も高めていき、複数のサブシステムを含むハイレベル画像情報管理システムを形成するため、分散する画像情報管理システムに対する統合が必要になっている。
【発明の開示】
【発明が解決しようとする課題】
【０００３】
しかし、従来のユーザー管理方式において、ユーザー権限・リソースを調整と変更するには柔軟性が乏しいため、超大規模のビデオネットワークの要求を満たさなくなり、権限を越えるアクセスと多ユーザーアクセスの間のコンフリクトなどの問題点が生じやすくなる。
また、大型ネットワークには、総合サーバーの故障が原因となって全システムの運営停滞を引き起こしやすい状態になってしまう。
【０００４】
本発明は、以上のような課題に鑑みてなされたものであり、ユーザーの権限と類別に対して限定と識別を行うことにより、超大規模のハイレベルリアルタイム監視情報管理システムにおける画像情報の順序アクセスと利用という問題点を解決するものであって、同時に、ユーザー識別ポータルを各サブシステムに設置することにより、総合システムにおける部分的故障が他の部分の正常動作に影響を与えない目的を実現した。
【課題を解決するための手段】
【０００５】
本発明の技術案は、以下のようなものである。
【０００６】
本発明の画像情報管理システムにおけるユーザーの分類及びレベル付け管理システムは、幾つかの同じ構造を持つサブシステムにより構成され、各サブシステムは２つずつ接続され、上記サブシステムは、ユーザー情報コーディングモジュール、ユーザー情報デコーディング及び権限識別モジュール、ユーザー分類モジュール、ユーザーレベル付けモジュール、コマンド実行モジュール、認証されたユーザーセットデータベース、リソース情報データベースにより構成されている。
認証されたユーザーセットデータベースは、ユーザーの認証レコードを含む。リソース情報データベースは、リアルタイム画像、過去画像、カメラホルダ、レンズ制御権コマンドを含む。
ユーザー情報コーディングモジュールは、既定の規則によって、アクセスレベル情報が含まれたユーザーの個人情報と使用コマンド情報をコーディングして数字列を構成し、使用コマンドが指定したリソース情報の所在サブシステムにおけるユーザー情報デコーディング及び権限識別モジュールに送信する。
当該ユーザー情報デコーディング及び権限識別モジュールは、認証されたユーザーセットデータベース中のユーザー記録を利用し、受信した数字列に含まれたユーザー情報をデコーディングし、且つ、オペレーティング権限の有無を識別するため、当該使用コマンドを認証されたユーザーセットデータベースにおける当該ユーザーの認証レコードと比較させ、識別後、オペレーティング権限を持つユーザーの情報がユーザー分類モジュールに送信される。
ユーザー分類モジュールは、所定時間内に、同一のリソース情報に対してアクセスコマンドを送ったユーザーのリストを、ユーザーレベル付けモジュールに送信する。
ユーザーレベル付けモジュールは、アクセスレベルにより、同一のリソース情報に対してアクセスコマンドを送ったユーザーを順番付け、且つ、その使用コマンドを順番にコマンド実行モジュールに送信して実行する。
コマンド実行モジュールは、コマンドを実行することにより画像情報を取得できる。
【０００７】
リソース情報データベースは、既定規則により分類された異なるリソース情報の幾つかのサブデータベースに分けることができるが、規則は管理者により定められる。
【０００８】
上記ユーザーの個人情報は、既定規則によりコーティングして得られた所在サブシステム標識情報とユーザーレベル情報を含む。
高レベルユーザーは、低レベルユーザーより同一のリソース情報に対する優先アクセス権を持つことになる。
具体的に、アクセス権は、あるカメラのリアルタイム画像を取得する権限、ある過去画像を取得する権限、又はあるカメラのホルダ、レンズ制御権を取得する権限を含む。
【０００９】
上記使用コマンド情報とは、カメラのリアルタイム画像、過去画像、又はカメラのホルダ、レンズ制御権を取得するコマンドである。
【００１０】
上記ユーザー分類モジュールは、ユーザーの使用コマンド情報により、ユーザーをカメラのリアルタイム画像を取得するユーザー、過去画像を取得するユーザー、カメラのホルダとレンズ制御権を取得するユーザーに分け、且つ、それぞれを対応のリソース情報に指向するユーザーリストを編集作成する。
【００１１】
上記ユーザーレベル付けモジュールは、ユーザー分類モジュールが作成したユーザーリスト中のユーザーを自身のレベルにより、当該カメラのリアルタイム画像と過去画像をアクセスする権限と、当該カメラのホルダ及びレンズに対する制御権とを優先順番の高低に従って順序付け、且つそのレベル情報をコマンド実行モジュールに送信して実行する。
【００１２】
上記リソース情報データベースは、既定の規則により異なる情報リソースを含む幾つかのサブデータベースに分けられる。
【００１３】
好ましくは、上記画像情報管理システムにおけるユーザーの分類・レベル付け管理システムには、１つの認証されたユーザーセットデータベースを含む総合コンソールが設置され、上記データベースは、各サブシステムにおける認証されたユーザーセットデータベースの全記録を含む。
システムが通常の状態である場合、ユーザー情報デコーディング及び権限識別モジュールは、総合コンソールにおける認証されたユーザーセットデータベース中のユーザー記録を利用してもよいし、対応するサブシステムにおける認証されたユーザーセットデータベース中のユーザー記録を利用しても良いのであり、受信された数字列に含まれたユーザー情報をデコーディングし、且つ、自分のオペレーティング権限の有無を識別するため、使用コマンドを認証されたユーザーセットデータベースにおける当該ユーザの認証レコードと比較する。
【００１４】
各サブシステムの認証されたユーザーセットデータベースの記録は、同一であってもよいし、異なっても良い。
上記認証されたユーザーセットデータベースは、その所在するザブシステムにより設置される。
【００１５】
上記画像情報管理システムにおけるユーザーの分類及びレベル付け管理システムは、コマンド実行モジュールがコマンドを実行することにより取得した画像情報を、上記コマンドにより、指定されたユーザーに送信するための情報応答モジュールも含む。
【発明の効果】
【００１６】
本発明は、ユーザー権限・類別を制限・識別することにより、超大規模のハイレベルリアルタイム監視情報管理システムにおける画像情報の順序アクセス・利用の問題が解決できるようになる。
又、サブシステムが２つずつ接続されることと、ユーザー識別ポータルを各サブシステムに設置することにより、総合システムにおける部分的な故障が他の部分の正常動作に影響を与えないという目的を達成させる。
そのため、総合システム中の任意のサブシステムに故障があった場合、他のサブシステムとの情報コミュニケーションに支障を与えないことになる。
【図面の簡単な説明】
【００１７】
【図１】画像情報管理システムにおけるユーザーの分類及びレベル付け管理システムのサブシステムを示した図である。
【図２】画像情報管理システムにおけるユーザーの分類及びレベル付け管理システムの動作フロー図である。
【図３】ユーザに対して授権を行うプロセスを示した図である。
【図４】ユーザーとユーザーセットをマッピングするプロセスを示した図である。
【発明を実施するための形態】
【００１８】
〈第一実施形態〉
第一実施形態は、北京市画像情報管理システムにおいて、ユーザーがクロスプラットフォームで画像リソースの利用を実現する方法である。
【００１９】
本発明の画像情報管理システムにおけるユーザーの分類及びレベル付け管理システムは、幾つかの同じ構造を持つサブシステムにより構成され、各サブシステムは２つずつ接続され、上記サブシステムは、ユーザー情報コーディングモジュール、ユーザー情報デコーディング及び権限識別モジュール、ユーザー分類モジュール、ユーザーレベル付けモジュール、コマンド実行モジュール、認証されたユーザーセットデータベース、リソース情報データベースにより構成された。
認証されたユーザーセットデータベースは、ユーザーの認証レコードを含む。
リソース情報データベースは、リアルタイム画像、過去画像、カメラホルダと、レンズ制御権コマンドとを含む。
ユーザー情報コーディングモジュールは、既定の規則によって、アクセスレベル情報が含まれたユーザーの個人情報と使用コマンド情報をコーディングして数字列を構成し、使用コマンドが指定したリソース情報の所在サブシステムにおけるユーザー情報デコーディング及び権限識別モジュールに送信する。
当該ユーザー情報デコーディング及び権限識別モジュールは、認証されたユーザーセットデータベース中のユーザー記録を利用し、受信した数字列に含まれたユーザー情報をデコーディングし、且つ、オペレーティング権限の有無を識別するため、当該使用コマンドを認証されたユーザーセットデータベースにおける当該ユーザーの認証レコードと比較させ、識別後、オペレーティング権限を持つユーザーの情報がユーザー分類モジュールに送信される。
ユーザー分類モジュールは、所定時間内に、同一のリソース情報に対してアクセスコマンドを送ったユーザーのリストを、ユーザーレベル付けモジュールに送信する。
ユーザーレベル付けモジュールは、アクセスレベルにより、同一のリソース情報に対してアクセスコマンドを送ったユーザーを順番付け、且つ、その使用コマンドを順番にコマンド実行モジュールに送信して実行する。
コマンド実行モジュールは、コマンドを実行することにより画像情報を取得できる。
【００２０】
リソース情報データベースは、幾つかの既定規則による分類された異なるリソース情報のサブデータベースに分けられることができるが、分ける規則は、管理者により定められる。
【００２１】
上記ユーザーの個人情報は、既定規則によりコーティングして得られた所在サブシステム標識情報とユーザーレベル情報を含む。
高レベルユーザーは、低レベルユーザーより同一のリソース情報に対するアクセス優先権を持つことになる。
具体的に、アクセス権は、あるカメラのリアルタイム画像を取得する権限、ある過去画像を取得する権限、又はあるカメラのホルダ、レンズ制御権を取得する権限を含む。
【００２２】
上記使用コマンド情報とは、カメラのリアルタイム画像、過去画像、又はカメラのホルダ、レンズ制御権を取得するコマンドである。
【００２３】
上記ユーザー分類モジュールは、ユーザーの使用コマンド情報により、ユーザーをカメラのリアルタイム画像を取得するユーザー、過去画像を取得するユーザー、カメラのホルダとレンズ制御権を取得するユーザーに分け、且つ、それぞれを対応のリソース情報に指向するユーザーリストを編集作成する。
【００２４】
上記ユーザーレベル付けモジュールは、ユーザー分類モジュールが作成したユーザーリスト中のユーザーを自身のレベルにより、カメラのリアルタイム画像と過去画像をアクセスする権限と、カメラのホルダ及びレンズに対する制御権とを優先順番の高低に従って順序付け、且つ、そのレベル情報をコマンド実行モジュールに送信して実行する。
【００２５】
上記リソース情報データベースは、既定の規則により異なる情報リソースを含む幾つかのサブデータベースに分けられる。
【００２６】
本発明は、画像リソースの分類及び制御権限の分類管理により、全域中のユーザーがクロスプラットフォームで各行政地域又は専用プラットフォーム画像リソースに対するアクセスを実現し、平常、又、緊急状態のいずれかにおいても、ユーザーが順次に必要となる画像リソースを使用することを確保できるようになる。
【００２７】
ユーザーがクロスプラットフォームで画像リソースを利用する際、身分認証又授権（公認）された後さえ、利用可能となる。
権限のコンフリクトが生じる場合、リソース管理プラットフォーム管理により権限の判定を行う。
画像リソースは、カメラのリアルタイム画像と過去画像などを含み、画像リソース管理は、各々の管理プラットフォームで決められる。
北京市画像情報管理システムにおける画像リソースのオペレーターは、ユーザーと呼ばれ、クロスプラットフォームで画像リソースに対して操作を行えるユーザーを全域ユーザーを呼ぶ。
全域ユーザー管理設備（ｇｌｏｂａｌ  ｕｓｅｒ  ｍａｎａｇｅｍｅｎｔ  ｕｎｉｔ）は、実際の応用状況と管理規則により、全域ユーザーの追加、変更と削除操作を行う。
【００２８】
全域ユーザーがクロスプラットフォームでリソースをアクセスするプロセスは、以下のようなステップを含む。
【００２９】
ステップ１：ユーザーの画像リソースに対するアクセス制御権限は、リアルタイム観察権、制御権、ロック／アンロック権を含む。
【００３０】
アクセス制御権限に含まれる三つの権限は、一般的に、ロック／アンロック権＞制御権＞リアルタイム観察権のようになっており、又、上記三つの権限をリアルタイム観察権・リアルタイム制御権・ロック／アンロック権、リアルタイム観察権・リアルタイム制御権と、リアルタイム観察権のように組み合わせることができる。
【００３１】
ステップ２：画像リソースを行政管理機関の注目度により分類する。
例えば、公共安全関係類、衛生関係類、水道局関係類と他の類のように分類させ、又、複数の行政管理機関により注目が集まったある類のリソースに対して、更に細分する必要になる。
【００３２】
各プラットフォームは、画像リソースに対して、画像リソース別に管理しても良いし、画像リソース類別に管理しても良い。
【００３３】
認証されたユーザーセットデータベースは、幾つかのサブデータベースを含み、ユーザーを所属する機関、職務及びリソースの使用要望によって異なるユーザーサブセットに分け、ユーザーサブセットは、同様な利用特徴を持つユーザー集合であることを示す。
ユーザーセットは、汎用ユーザーセットと特別ユーザーセットに分けられ、そのうち、特別ユーザーセットは、北京市の政策決定指導者チームと緊急対策指導者チームの予約セットである。
【００３４】
ステップ３：予め定義されたユーザセットコーディング規則により、全てのユーザーセットに対してコーディングを行う。
ユーザーセットコードは、ユーザーの利用特徴情報，所属機関情報と行政区域の分布情報を含む。
【００３５】
ステップ４：全域ユーザー管理設備は、ユーザー毎にユーザー個人身分情報、法人成立認証書と公開鍵が含まれた１つのＵＳＢ−ＫＥＹを割り当て、且つ、サービスの需要に応じて、所属ユーザーセットの情報をＵＳＢ−ＫＥＹに書き込んで、ユーザーとユーザーセットのマッピングを終了させる。
１つのユーザーは、１つ又は複数のユーザーサブセットに所属することができる。
【００３６】
ステップ５：各管理プラットフォームは、リソース類別とユーザーセットのアクセス要望に応じてユーザーグループリストを設置し、各ユーザ組の権限とレベルを確定する。
ユーザーグループとしては、一般的に、通常ユーザーグループと緊急対応ユーザーグループが設置することができる。
【００３７】
ステップ６：各管理プラットフォームは、ユーザーグループに対応するレベルをつけるが、レベルは０〜２５５で示され、そのうち、２５０〜２５５は、予約レベルである。
同一権限を持つユーザーグループのレベルは、管理プラットフォームにより、ユーザーのアクセス要望に応じて決められる。
【００３８】
ステップ７：各管理プラットフォームにおいて、市の政策決定指導者チームと市の緊急対策指導者チームのために、最高順位のナンバ（２５０〜２５４）を予約し、２５５は、プラットフォームの管理者のために予約される。
【００３９】
ステップ８：ユーザーがＵＳＢ−ＫＥＹを利用してシステムを登録してある画像リソースをアクセスする際、ユーザー管理システムは、ユーザー身分の正当性について認証を行い、且つ、認証済みユーザーが所属するユーザーセットの情報を画像リソースの所在管理プラットフォームに送信する。
【００４０】
ステップ９：各管理プラットフォームの権限管理システムは、ユーザーグループとユーザーグループのレベルの設置に用いられる。
管理プラットフォームは、ユーザーセットのビデオソースへの要望に基づき、ユーザーセットを既定のユーザーグループに所属させる。
又、ユーザーグループのマッピングによってアクセス要望があるユーザーセットをレベルに従って順序つけることが実現できる。
【００４１】
ステップ１０：複数のユーザーが、同一のビデオソースに対して制御する必要がある場合、ユーザーセットに対応するユーザーグループのレベルにより、最優先権を持つユーザーを確認する。
同一のユーザーグループであれば、先にビデオソース制御を要請したユーザーが、制御優先権を持つようになる。
【００４２】
本発明は、ユーザー権限・類別を制限・識別することにより、超大規模のハイレベルリアルタイム監視情報管理システムにおける画像情報の順序アクセス・利用する問題が解決できるようになる。
又、サブシステムが２つずつ接続されることと、ユーザー識別ポータルを各サブシステムに設置することにより、総合システムにおける部分的な故障が他の部分の正常動作に影響を与えないという目的を達成させる。
総合システム中の任意のサブシステムに故障があった場合、他のサブシステムの間の情報コミュニケーションに支障を与えないことになる。
更に、全システムにおいて、２つのサブシステムしか正常に動作できなくても、その２つのサブシステムが正常な情報コミュニケーションを行える。
〈第二実施形態〉
【００４３】
本発明に提供された画像情報管理システムにおけるユーザーの分類及びレベル付け管理システムは、幾つかの同じ構造を持つサブシステムにより構成され、各サブシステムは２つずつ接続され、上記サブシステムは、ユーザー情報コーディングモジュール、ユーザー情報デコーディング及び権限識別モジュール、ユーザー分類モジュール、ユーザーレベル付けモジュール、コマンド実行モジュール、認証されたユーザーセットデータベースとリソース情報データベースにより構成された。
認証されたユーザーセットデータベースは、ユーザーの認証レコードを含む。
リソース情報データベースは、リアルタイム画像、過去画像、カメラホルダと、レンズ制御権コマンドとを含む。
ユーザー情報コーディングモジュールは、既定の規則によって、アクセスレベル情報が含まれたユーザーの個人情報と使用コマンド情報をコーディングして数字列を構成し、使用コマンドが指定したリソース情報の所在サブシステムにおけるユーザー情報デコーディング及び権限識別モジュールに送信する。
当該ユーザー情報デコーディング及び権限識別モジュールは、認証されたユーザーセットデータベース中のユーザー記録を利用し、受信した数字列に含まれたユーザー情報をデコーディングし、且つ、オペレーティング権限の有無を識別するため、当該使用コマンドを認証されたユーザーセットデータベースにおける当該ユーザーの認証レコードと比較させ、識別後、オペレーティング権限を持つユーザーの情報が、ユーザー分類モジュールに送信される。
ユーザー分類モジュールは、所定時間内に同一のリソース情報に対してアクセスコマンドを送ったユーザーのリストを、ユーザーレベル付けモジュールに送信する。
ユーザーレベル付けモジュールは、アクセスレベルにより、同一のリソース情報に対してアクセスコマンドを送ったユーザーを順番付け、且つ、その使用コマンドを順番にコマンド実行モジュールに送信して実行する。
コマンド実行モジュールは、コマンドを実行することにより画像情報を取得できる。
【００４４】
上記ユーザーの個人情報は、既定規則によりコーティングして得られた所在サブシステム標識情報とユーザーレベル情報を含む。
高レベルユーザーは、低レベルユーザーより同一リソース情報に対する優先アクセス権を持つことになる。
具体的に、アクセス権は、あるカメラのリアルタイム画像を取得する権限、ある過去画像を取得する権限、又はあるカメラのホルダ、レンズ制御権を取得する権限を含む。
【００４５】
上記使用コマンド情報とは、カメラのリアルタイム画像、過去画像、又はカメラのホルダ、レンズ制御権を取得するコマンドである。
【００４６】
上記ユーザー分類モジュールは、ユーザーの使用コマンドにより、ユーザーをカメラのリアルタイム画像を取得するユーザー、過去画像を取得するユーザー、カメラのホルダとレンズ制御権を取得するユーザーに分け、且つ、それぞれを対応するリソース情報に指向するユーザーリストを編集作成する。
【００４７】
上記ユーザーレベル付けモジュールは、ユーザー分類モジュールが作成したユーザーリスト中のユーザーを自身のレベルにより、当該カメラのリアルタイム画像と過去画像をアクセスする権限と、当該カメラのホルダ及びレンズに対する制御権とを優先順番の高低に従って順序付け、且つ、そのレベル情報をコマンド実行モジュールに送信して実行する。
【００４８】
本実施形態は、画像情報管理システムにおけるユーザーセットの分類・コーディングと、画像リソースの分類とアクセス権限の分類方法を示す共に、全域ユーザーがクロスプラットフォームで各区、県、また専用プラットフォームにおける画像リソースをアクセスするプロセスを明示した。
【用語の解釈】
【００４９】
リソース（ｒｅｓｏｕｒｃｅ）：カメラのリアルタイム画像と過去画像を指す。
【００５０】
ユーザー（ｕｓｅｒ）：プラットフォームにおけるリソース利用要求があるオペレーターを言う。
ユーザーは、全域ユーザーとローカルユーザーに分けられ、クロスプラットフォームで画像リソースを操作するユーザーは、全域ユーザーである一方、自身が所在するプラットフォームのみにおいて画像リソースを操作するユーザーは、ローカルユーザーである。
【００５１】
全域ユーザー管理装置（ｇｌｏｂａｌ  ｕｓｅｒ  ｍａｎａｇｅｍｅｎｔ  ｕｉｎｔ）：実際の需要と管理規則により、全域ユーザーに対して追加、変更と削除等の管理を実施する装置である。
【００５２】
ユーザーセット（ｕｓｅｒ  ｓｅｔ）：比較的に一致した利用特徴を持つユーザー集合を指す。
【００５３】
権限（ａｕｔｈｏｒｉｔｙ）：ユーザーのビデオリソースに対するアクセス・制御能力を指す。
【００５４】
レベル（ｌｅｖｅｌ）：異なるユーザーセットが、同一のリソースをアクセスする際の優先順位を表す。
レベルは、０〜２５５のように表示され、異なる数値は、違うレベルを示し、数値が大きいほどレベルが高い。
【００５５】
ユーザーグループ（ｕｓｅｒ  ｇｒｏｕｐ）：実際の需要とリソース特性により、管理プラットフォームが確定したユーザセットの集合であり、同一のユーザグループは、特定のリソースに対して同様な権限とレベルを持つ。
【００５６】
ロック／アンロック（ｌｏｃｋ／ｕｎｌｏｃｋ）：ロックは、リアルタイム画像を観察、且つカメラホルダ・レンズを制御する際、当該リアルタイム画像の制御権を確保して、他のユーザーがカメラホルダとレンズを操作することを防ぐことである。
アンロックは、リアルタイム画像の制御権に対するロックを解除することを言う。
【００５７】
〈ユーザーセットの分類とコード〉
ユーザーセットの分類
ユーザーセットは、自身の属性により汎用ユーザーセットと特別ユーザーセットのように分けられる。
特別ユーザーセットは、市の対策決定指導者チームと市の緊急対策指導者チームである。
【００５８】
汎用ユーザーセットは、高→低のレベルにより、各機関のユーザーを指導者、高級指揮者、指揮者、操作員と補助操作員のように五つに分けられる。
ユーザーの所属機関は、実際の需要に応じて上記のうちのひとつ又は幾つかのユーザーセットを利用することができる。
例えば、北京市統計局は、統計局指導者、統計局高級指揮者、統計局指揮者、統計局操作員と統計局補助操作員、５つのユーザーセットに分け、又、北京市文化局は、文化局指導者、文化局指揮者と文化補助操作員三つのユーザーセットに分けても良い。
【００５９】
ユーザーセットコード
ユーザーセットコードは、属性コード、行政区域コード、ユーザー機関コードとユーザーセット標識コードを備える。
ユーザーセットコード総サイズを恒常に１２桁に設定し、その構成は、以下のようになっている。
属性コード 行政区域コード  ユーザー機関コード   ユーザーセット標識コード
Ｘ          ＸＸＸＸＸＸ        ＸＸＸＸ                    Ｘ
【００６０】
属性コード
属性コードは、ユーザーセットの作業範囲を示す。
全域ユーザーセットの属性コードを「Ａ」で表示し、クロスプラットフォームでアクセスでき、「Ｂ〜Ｚ」を予約属性コードにする。
【００６１】
行政区域コード
北京市の行政区域コードは、表１を参照する。
表１  北京市行政区域コード
2010537285.tif 000001
【００６２】
ユーザー機関コード
ユーザー機関とは、各行政レベルの管理機関である。
ユーザー機関コードのサイズは、４桁に決められ、０００１〜９９９９のように順次にコーディングされる。
又、各区、県と市の行政管理機関の機関コードは、市の同一行政管理機関の機関コードに一致させる。
【００６３】
ユーザーセット標識コード
ユーザーセット標識コードのサイズは、１桁で、１〜９のように順次にコーディング、表２を参照する。
表２  ユーザーセット標識コード
2010537285.tif 000002
次に、ユーザーセットコードの例を挙げる。
北京市質量技術監督局指導者ユーザーセット：Ａ１１００００００４２３
東城区北京市政府管理委員会高級指揮者ユーザーセット：Ａ１１０１０１０００８４
【００６４】
リソース分類及びアクセス権限
リソース分類
各プラットフォームは、画像リソースの特徴により、行政管理機関の注目度に応じて画像リソースを分類する。
【００６５】
分類原則
リソースに対する注目度により、リソースを行政管理機関別に分類する。
【００６６】
分類プロセス
ステップ１：リソースを行政管理機関がリソースに対する注目度により分類する。
ステップ２：ステップ１に基づき、各行政管理機関がリソースに対する注目度により、
分類されたリソースを更に細分する。
上記のように、各管理プラットフォームは、需要に応じて細分程度を自ら決める。
【００６７】
ここで、例を挙げる。
まずは、全部のリソースを公共安全関係類，衛生関係類、水道局類と他の類に分ける。
次に、リソースに対する注目度により、公共安全関係類を更に細分する。
各管理プラットフォームは、自ら残ったリソースの分類を決める。
【００６８】
アクセス権限分類
システムは、リソースアクセスの制御権限をリアルタイム観察、制御とロック／アンロックに分ける。
リアルタイム観察は、ビデオ要請とビデオ解放を含み、リアルタイム画像を調べることができるが、ホルダとレンズを制御できない。
制御は、リアルタイム画像を観察する同時に、ホルダとレンズを操作することができる。
ロック／アンロックは、特別ビデオソースに対してロック／アンロック状態を設定できる。
【００６９】
ユーザーの認証とは、ユーザーが指定されたビデオソースをアクセスできるように、管理プラットフォームがユーザーに対してリソース分類と権限割り当てを行うことを言う。
【００７０】
以下は、ユーザーセットと、ユーザーグループと、リソースアクセス制御について更に詳しく説明する。
【００７１】
ユーザーセット
全域ユーザー管理設備は、本発明に示された基準により全域ユーザーセットを構成し、且つコーディングする。
【００７２】
各ユーザーのデジタル証書にユーザー個人身分情報を含み、且つ、証書の記憶媒体にユーザーの所属ユーザーセットの情報を記憶する。
【００７３】
全域ユーザー管理設備は、ユーザーが所属するユーザーセットの情報をユーザーデジタル証書の記憶媒体に書き込み、ユーザーとユーザーセットとのマッピングを完成させる。
【００７４】
１つのユーザーは、１つ又は複数のユーザーセットに所属することができる。
【００７５】
ユーザーグループ
管理プラットフォームは、リソース分類とユーザーセットのアクセス需要に応じて、ユーザーグループリストを作成し、各ユーザーグループの権限とレベルを確定する。
【００７６】
管理プラットフォームは、ビデオリソースに対するユーザーセットの需要により、ユーザーセットを確定されたユーザーグループに所属させ、複数のユーザーセットは、同一のユーザーグループに属することができる。
一般的に、平常ユーザーグループと緊急状態ユーザーグループ２種類を作成する。
【００７７】
管理プラットフォームは、ユーザーグループに対して対応するレベルを設定し、レベルは、０〜２５５で表示され、そのうち、２５０〜２５５は、予約レベルである。
同一権限を持つユーザーグループは、管理プラットフォームにより、ユーザーセットのアクセス需要に応じてレベルを確定する。
【００７８】
各管理プラットフォームには、市対策決定指導者と市緊急対策指導者のために２５０〜２５４を予約し、最優先順位のコード２５５は、プラットフォームオペレーターのために予約される。
【００７９】
アクセス制御権限に含まれる三つの権限は、一般的に、ロック／アンロック権＞制御権＞リアルタイム観察権のような関係になり、又、上記三つの権限の組み合わせは、以下のようなものである。
（１）リアルタイム観察権、リアルタイム制御権、ロック／アンロック権
（２）リアルタイム観察権、リアルタイム制御権
（３）リアルタイム観察権
【００８０】
一般的に、高レベルのユーザーグループの権限の種類は、低レベルのユーザーグルップより少なくすべきではない。
表３    ユーザーグループのレベル及び権限の組み合わせ
2010537285.tif 000003
【００８１】
リソースアクセス制限
各プラットフォームは、リソースに対して単独的に管理を行っても良いし、分類別に管理行っても良い。
【００８２】
特別ユーザークループは、ビデオリソースに対して特別な権限とアクセスレベルを持つ。
【００８３】
ユーザーグループのマッピングにより、アクセス要求があるユーザーグループに対してレベル付けを実施する。
【００８４】
例１：公共安全関係が所有するあるビデオソースに対して共有する必要がある機関としては、都市管理機関、交通機関等である。
ユーザーグループを確定する際、公安ユーザーセットの所在ユーザーグループのレベルは、都市管理・交通機関ユーザーセットの所在ユーザーグループより高いのである。
【００８５】
例２：基準によれば、ある機関に五つのユーザーグループ（指導者、高級指揮者、指揮者、操作員、補助操作員）がある。
ユーザーグループを確定する際、上記五つのユーザーセットの所在ユーザーグループのレベルは、指導者の所在ユーザーグループ、高級指揮者の所在ユーザーグループ、指揮者の所在ユーザーグループ、操作員の所在ユーザーグループと補助操作員の所在ユーザーグループの順序になっている。
【００８６】
例３
表４  ユーザーセットとユーザーグループとのマッピング
2010537285.tif 000004
【００８７】
張Ｘは、北京市質量技術監督局の指導者であり、北京市質量技術監督局指導者チームの一員である。
李Ｘは、北京市衛生局の指導者であり、北京市衛生局指導者チームの一員である。
全域ユーザー管理設備は、張Ｘと李Ｘの個人情報を各自のデジタル証書に書き込んだ。
【００８８】
張Ｘと李ＸがコードがＡプラットフォーム１１０１０１０６０９０００００１であるビデオソースをアクセスする際、当該プラットフォームは、既定のユーザーセットとユーザーグループの対応関係により、張ＸがＡ１１００００００４２３ユーザーセットに所属し、権限がリアルタイム観察、リアルタイム制御、ロック／アンロック、レベルが２４９、ビデオソースが１１０１０１０６０９０００００１〜１１０１０１０６０９００００１０であることを識別できる。
同様に、李ＸがＡ１１００００００１０３ユーザーセットに所属し、権限がリアルタイム観察、リアルタイム制御、ロック／アンロック、レベルが２４８、ビデオソースが１１０１０１０６０９０００００１〜１１０１０１０６０９００００１０であることも識別できる。
従って、Ａプラットフォームは張Ｘと李Ｘが１１０１０１０６０９０００００１ビデオソースの観察権を有することを確認できるようになる。
【００８９】
張Ｘと李Ｘが同時に１１０１０１０６０９０００００１ビデオソースを制御しようとすれば、Ａプラットフォームは、既定のユーザーグループのレベルに基づき、張Ｘの所在ユーザーグループのレベルが李Ｘの所在ユーザーグループのレベルより大きいのを識別したため、張Ｘは、１１０１０１０６０９０００００１ビデオソースに対する制御優先権を持つことになる。
【００９０】
緊急状態において、プラットフォームは、緊急状態ユーザーグループの規則により、ユーザーレベルを確定する。
【００９１】
本明細書では、上述した実施例を参照し本発明を詳しく解説したが、当業者により、上述した技術的な解決手段を改造し、または、その中の一部の技術要素を置換することもできる。
そのような改造と置換は、本発明の各実施例の技術の範囲から逸脱するとは見なされない。
【誤訳訂正２】
【訂正対象書類名】特許請求の範囲
【訂正対象項目名】全文
【訂正方法】変更
【訂正の内容】
【特許請求の範囲】
【請求項１】
幾つかの同じ構造を持つサブシステムにより構成されるシステムにおいて、各サブシステムは２つずつ接続され、前記サブシステムは、ユーザー情報コーディングモジュール、ユーザー情報デコーディング及び権限識別モジュール、ユーザー分類モジュール、ユーザーレベル付けモジュール、コマンド実行モジュール、認証されたユーザーセットデータベース、リソース情報データベースにより構成され、
そのうち、前記認証されたユーザーセットデータベースは、ユーザーの認証レコードを含み、前記リソース情報データベースは、リアルタイム画像、過去画像、カメラホルダと、レンズ制御権コマンドとを含み、
前記ユーザー情報コーディングモジュールは、既定の規則によって、アクセスレベル情報が含まれたユーザーの個人情報と使用コマンド情報をコーディングして数字列を構成し、使用コマンドが指定したリソース情報の所在サブシステムにおけるユーザー情報デコーディング及び権限識別モジュールに送信し、
前記ユーザー情報デコーディング及び権限識別モジュールは、認証されたユーザーセットデータベース中のユーザー記録を利用し、受信した数字列に含まれたユーザー情報をデコーディングし、且つ、オペレーティング権限の有無を識別するため、当該使用コマンドを認証されたユーザーセットデータベースにおける当該ユーザーの認証レコードと比較させ、識別後、オペレーティング権限を持つユーザーの情報がユーザー分類モジュールに送信され、
前記ユーザー分類モジュールは、所定時間内に同一のリソース情報に対してアクセスコマンドを送ったユーザーのリストを、ユーザーレベル付けモジュールに送信し、
前記ユーザーレベル付けモジュールは、アクセスレベルにより、同一のリソース情報に対してアクセスコマンドを送ったユーザーを順番付け、且つ、その使用コマンドを順番にコマンド実行モジュールに送信して実行し、
前記コマンド実行モジュールは、前記コマンドを実行することにより画像情報を取得できることを特徴とする画像情報管理システムにおけるユーザーの分類及びレベル付け管理システム。
【請求項２】
前記コマンド実行モジュールが、前記コマンドを実行することにより取得した画像情報を、前記コマンドにより指定されたユーザーに送信するための情報応答モジュールも含むことを特徴とする請求項１記載の画像情報管理システムにおけるユーザーの分類及びレベル付け管理システム。
【請求項３】
前記ユーザーの個人情報は、既定規則によりコーティングして得られた所在サブシステム標識情報とユーザーレベル情報を含み、高レベルユーザーは、低レベルユーザーより同一のリソース情報に対する優先アクセス権を持つことになることを特徴とする請求項１又は２記載の画像情報管理システムにおけるユーザーの分類及びレベル付け管理システム。
【請求項４】
前記アクセス権は、具体的に、カメラのリアルタイム画像を取得する権限、過去画像を取得する権限、又はカメラのホルダ、レンズ制御権を取得する権限を含むことを特徴とする請求項１又は２記載の画像情報管理システムにおけるユーザーの分類及びレベル付け管理システム。
【請求項５】
前記使用コマンド情報とは、カメラのリアルタイム画像、過去画像、又はカメラのホルダ、レンズ制御権を取得するコマンドであることを特徴とする請求項１又は２記載の画像情報管理システムにおけるユーザーの分類及びレベル付け管理システム。
【請求項６】
前記ユーザー分類モジュールは、ユーザーの使用コマンド情報により、ユーザーをカメラのリアルタイム画像を取得するユーザー、過去画像を取得するユーザー、カメラのホルダとレンズ制御権を取得するユーザーに分けられ、且つ、それぞれを当該リソース情報に指向するユーザーリストを編集作成することを特徴とする請求項１又は２記載の画像情報管理システムにおけるユーザーの分類及びレベル付け管理システム。
【請求項７】
前記ユーザーレベル付けモジュールは、前記ユーザー分類モジュールが作成したユーザーリスト中のユーザーを自身のレベルにより、カメラのリアルタイム画像と過去画像をアクセスする権限と、カメラのホルダ及びレンズに対する制御権を優先順番の高低に従って順序付け、順番にコマンド実行モジュールに送信して実行することを特徴とする請求項１又は２記載の画像情報管理システムにおけるユーザーの分類及びレベル付け管理システム。
【請求項８】
前記リソース情報データベースは、既定の規則により異なる情報リソースを含む幾つかのサブデータベースに分けられていることを特徴とする請求項１又は２記載の画像情報管理システムにおけるユーザーの分類及びレベル付け管理システム。
【請求項９】
一つの総合コンソールは、更に設置され、全てのサブシステムと接続し、前記総合コンソールには、各サブシステムにおける認証されたユーザーセットデータベースの全記録を含む認証されたユーザーセットデータベースが設置されていることを特徴とする請求項１又は２記載の画像情報管理システムにおけるユーザーの分類及びレベル付け管理システム。
【請求項１０】
前記総合コンソールには、前記サブシステム中の全部のモジュールを含むことを特徴とする請求項９記載の画像情報管理システムにおけるユーザーの分類及びレベル付け管理システム。
【誤訳訂正３】
【訂正対象書類名】図面
【訂正対象項目名】全図
【訂正方法】変更
【訂正の内容】
【図１】
2010537285.tif 000005
【図２】
2010537285.tif 000006
【図３】
2010537285.tif 000007
【図４】
2010537285.tif 000008